(57)【要約】【課題】側溝ブロックと蓋板の位置を規制でき、蓋板の横ずれがない側溝蓋の消音装置を提供する。【解決手段】側溝ブロック本体１の両内側縁の蓋掛かり部１ａに、側溝ブロック本体１の長手方向に沿って凹部１ｂを設け、この凹部１ｂと蓋掛かり部１ａに載置される蓋板２の相対面にそれぞれ係合穴１ｃ，２ａを設け、この係合穴１ｃ，２ａに嵌合する突起３ｂ，３ｃを平板状の基部３ａの上下面に連設した弾性を有する緩衝材３を、基部３ａが側溝ブロック本体１に形成した凹部１ｂに嵌合するように、また、上下の突起３ｂ，３ｃが蓋板２および側溝ブロック本体１に設けた係合穴２ａ，１ｃにそれぞれ嵌合するように、蓋掛かり部１ａと蓋板２の間に介在させた消音装置。【選択図】  図１
2005036537.tif 000002
【特許請求の範囲】
【請求項１】
側溝ブロック本体の両内側縁の蓋掛かり部に、前記側溝ブロック本体の長手方向に沿って凹部を設け、この凹部と前記蓋掛かり部に載置される蓋板の相対面にそれぞれ係合穴を設け、この係合穴に嵌合する突起を平板状の基部の上下面に連設した弾性を有する緩衝材を、前記基部が前記側溝ブロック本体に形成した凹部に嵌合するように、前記上下の突起が前記蓋板および側溝ブロック本体に設けた係合穴にそれぞれ嵌合するように、前記蓋掛かり部と蓋板の間に介在させたことを特徴とする側溝ブロックの消音装置。
【請求項２】
前記係合穴および突起の形状は、截頭円錐形である請求項１記載の側溝ブロックの消音装置。
【発明の詳細な説明】
【技術分野】
【０００１】
本発明は、車両通過時に側溝ブロックと蓋との間に発生するがたつきや騒音を軽減するための、側溝ブロックの消音装置に関する。
【背景技術】
【０００２】
従来においては、側溝ブロック本体に直接蓋板を載置して側溝ブロックの上部開口を塞ぐように施工していた。しかし、側溝ブロックの蓋受部の精度、蓋板の精度、蓋受部と蓋板との間の介在物等の影響により、両者の間にがたつきが生じ、車両通過時に著しい騒音が発生するとともに、隣接する蓋板どうしが擦れ合い、角などが欠けたり破損したりするという問題があった。
【０００３】
実開昭５９−１４４０８３号公報（特許文献１）には、グレーチング蓋をボルトで締め付けてガタツキをなくすことが開示されている。
【０００４】
特開２０００−２６５５３５号公報（特許文献２）には、蓋板の両側下辺に凸曲面ないし凸形湾曲面を設けると共に本体の蓋受部に凹曲面ないし凹形湾曲面を設け、蓋板の両側下辺を本体の蓋受部に密着ないし食い込むように支持させて蓋板のガタツキを防止した消音側溝ブロックにおいて、側壁の城辺から下辺に至る外表面を凹凸のない一面の垂直平面に形成し、本体の各側壁の内面の対向位置に水路と平行に延びる突条を対向させて設け、この突条の上面に蓋板を支持する蓋受部を設けると共に、突条の下面を下広がりの傾斜面とした消音側溝ブロックが開示されている。
【０００５】
実開昭５５−４４８６７号公報（特許文献３）には、蓋板の緩衝装置として、側溝本体の蓋掛り部の段差部にゴムパッキンをアンカーあるいは接着剤等により固着すること、および蓋板自体に緩衝用ゴムパッキンを接着することが開示されている。
【０００６】
また、本出願人が先に開示した実公平１−１８７０９号公報（特許文献４）には、側溝本体両内側縁の蓋がかり部に、側溝本体の長手方向に沿って、蓋板の下に敷くクッションゴムを定置する凹部を形成し、そのクッションゴムに、隣接する蓋板の間隔を隔てる突条を突設した側溝蓋の消音構造が記載されている。
【０００７】
さらに、特開平９−７８６７６号公報（特許文献５）には、側溝ブロック本体と蓋の当接面の一方に弾性力を有する合成ゴム製の緩衝材を設けたＵ形ブロックが開示されている。緩衝材としては、頭部と胴部を有する形状、円筒形、Ｕ字形断面形状、リング状の形状が開示されている。
【０００８】
【特許文献１】実開昭５９−１４４０８３号公報
【特許文献２】特開２０００−２６５５３５号公報
【特許文献３】実開昭５５−４４８６７号公報
【特許文献４】実公平１−１８７０９号公報
【特許文献５】特開平９−７８６７６号公報
【発明の開示】
【発明が解決しようとする課題】
【０００９】
前掲の特許文献１に記載された、蓋をボルトで締め付ける構造では、締め付け作業が煩雑であり、工期が長くなるという問題がある。
【００１０】
特許文献２に記載された、消音側溝ブロックの構造では、ブロック本体と蓋板とに精度が要求され、間に介在物が存在すると所定の効果が得られない。
【００１１】
特許文献３に記載された側溝蓋の消音構造では、側溝本体あるいは蓋板にゴムパッキンを固着すると、ゴムパッキンが劣化したときに側溝本体または蓋板からゴムパッキンを外す作業が煩雑となり、また新しいゴムパッキンを固着する作業も必要となり、交換作業に手間がかかる。
【００１２】
特許文献４に記載された側溝蓋の消音構造では、隣接する蓋板のどうしは突条により離隔されるが、蓋板の横ずれは規制できないため、側溝本体と蓋板の横ずれにより音が発生したり、擦れたりするという問題がある。
【００１３】
特許文献５に記載されたＵ形ブロックでは、ブロック本体と蓋の当接面の一方のみに弾性力を有する緩衝材を設けているため、強い力がかかると蓋の位置がずれる。特に、坂道など、道路に勾配がある場所に設置すると、重力で蓋の位置がずれて、蓋同士が衝突するという問題がある。
【００１４】
本発明は、側溝ブロックと蓋板の位置を規制でき、蓋板の横ずれがない側溝蓋の消音装置を提供することを目的とする。
【課題を解決するための手段】
【００１５】
前記課題を解決するため、本発明の側溝ブロックの消音装置は、側溝ブロック本体の両内側縁の蓋掛かり部に、前記側溝ブロック本体の長手方向に沿って凹部を設け、この凹部と前記蓋掛かり部に載置される蓋板の相対面にそれぞれ係合穴を設け、この係合穴に嵌合する突起を平板状の基部の上下面に連設した弾性を有する緩衝材を、前記基部が前記側溝ブロック本体に形成した凹部に嵌合するように、前記上下の突起が前記蓋板および側溝ブロック本体に設けた係合穴にそれぞれ嵌合するように、前記蓋掛かり部と蓋板の間に介在させたことを特徴とする。
ここで、緩衝材は、シリコンゴム等の耐候性、耐久性のある弾性素材を用いることとする。
前記係合穴および突起の形状は、截頭円錐形とすることが好ましい。
【発明の効果】
【００１６】
本発明においては、緩衝材は、弾性を有する素材で構成され、平板状の基部と上下の突起を有するので、基部が側溝ブロック本体の蓋掛かり部に形成された凹部および係合穴に嵌合するようにセットし、基部の上部に突出している突起に嵌るように蓋板の係合穴を置くことで、蓋板は側溝ブロック本体の長手方向にも、またそれに直交する横方向にも位置が規制され、その上を車両が通っても騒音が発生したり、次第にずれて蓋板が側溝ブロック本体と擦れたりすることが解消される。
【００１７】
係合穴および突起の形状を、截頭円錐形とすることにより、嵌合時のクリアランスが確保できると共に、装着後は、正確な位置に位置決めされるという効果がある。
【発明を実施するための最良の形態】
【００１８】
以下、本発明の実施の形態について、図を用いて説明する。
図１は本発明の実施の形態に係る側溝ブロックの消音装置を示す分解斜視図、図２は腰部断面図、図３は緩衝材の例を示す斜視図である。
【００１９】
本実施の形態では、側溝ブロック本体１の両内側縁の蓋掛かり部１ａに、長手方向に沿って凹部１ｂが所定間隔で形成され、この凹部１ｂにさらに係合穴１ｃが設けられている。また、蓋板２の底面には、側溝ブロック本体１の係合穴１ｃと対応する位置に係合穴２ａが形成されている。
【００２０】
一方、シリコンゴム等の耐候性、耐久性を有する弾性素材で形成された緩衝材３は、平板状の基部３ａと、この基部３ａの上下面に連設された突起３ｂ，３ｃを有している。
突起３ｂ，３ｃおよび係合穴１ｃ，２ａの形状は、截頭円錐形としている。基部３ａの形状は、図３（ａ）に示すように正方形、（ｂ）に示すように円形とすることができるが、これらの形状に限定されない。
【００２１】
以上の構成の消音装置は、まず側溝ブロック本体１を現場に設置し、突起３ｃが係合穴１ｃに嵌り込むように緩衝材３をセットする。これにより、容易に緩衝材３の基部３ａが凹部１ｂに装着される。
次いで、蓋掛かり部１ａの上面から突出した突起３ｂに係合穴２ａが合するように、蓋板２をセットする。これにより、図２に示すように凹部１ｂに基部３ａが位置し、嵌合穴１ｃ，２ａに突起が嵌合した状態となる。
【００２２】
当然のことながら、凹部１ｂの深さよりも基部３ａの厚みが若干厚く形成されているので、蓋板２上を車両が通過しても、蓋板２と側溝ブロック本体１が直接接触することがなく、騒音が防止される。また、突起３ｂ，３ｃと係合穴１ｃ，２ａとが係合しているので、蓋板２は側溝ブロック本体１の長手方向にも横方向にも位置ずれすることが規制され、水平方向の力が加わって蓋板２がずれることがない。また、坂道などに側溝ブロック本体が設置されていても、重力で蓋板が次第にずれ、当初は隙間が確保されていた蓋板同士が密着して擦れ合うようなことがなくなる。
【産業上の利用可能性】
【００２３】
本発明は、車両通過時に側溝ブロックと蓋との間に発生するがたつきや騒音、位置ずれを解消した側溝ブロックの消音装置として利用することができる。
【図面の簡単な説明】
【００２４】
【図１】本発明の実施の形態に係る側溝ブロックの消音装置を示す分解斜視図である。
【図２】本発明の実施の形態に係る側溝ブロックの消音装置の要部断面図である。
【図３】本発明の実施の形態に係る側溝ブロックの消音装置における緩衝材の例を示す斜視図である。
【符号の説明】
【００２５】
１  側溝ブロック本体
１ａ  蓋掛かり部
１ｂ  凹部
１ｃ  係合穴
２  蓋板
２ａ  係合穴
３  緩衝材
３ａ  基部
３ｂ，３ｃ  突起
【図１】
2005036537.tif 000003
【図２】
2005036537.tif 000004
【図３】
2005036537.tif 000005